【手続補正書】
【提出日】平成21年12月1日(2009.12.1)
【手続補正１】
【補正対象書類名】特許請求の範囲
【補正対象項目名】全文
【補正方法】変更
【補正の内容】
【特許請求の範囲】
【請求項１】
枚葉紙に画線部どおりに接着剤を塗布する少なくとも一つの塗布装置（１）と、
圧胴（４）とプレス胴（３）との間の転写間隙（６）において画線部提供層を担体フォイルから枚葉紙に転写するための一つの箔コーティングモジュール（２）であって、前記担体フォイルは、前記層を載せた側が枚葉紙に接した状態で一緒に転写間隙（６）を通過可能であり、このとき画線部提供層を画線どおりに枚葉紙に転写可能である箔コーティングモジュールと、
転写フォイル（５）を箔コーティング装置（２）に送り込み、また、この箔コーティング装置（２）から送り出すための、転写フォイルを作業方向に移動させるための駆動装置と、を備えた画線部提供層を担体フォイルから枚葉紙に転写する装置において、
箔コーティング装置（２）の転写間隙（６）内で画線部提供層が枚葉紙に転写されない場合には、フォイルガイド装置を使った転写フォイル（５）のフォイル送りが停止するよう制御されることを特徴とする装置。
【請求項２】
請求項１に記載の装置であって、
転写フォイル（５）のフォイルガイドと組み合わせることにより、少なくとも枚葉紙をガイドする圧胴（４）のグリッパが入り込むプレス胴（３）のシリンダーギャップ（１９）を通過する際には、フォイル送りが停止するよう制御され、このときプレス胴（３）は引き続き転写フォイル（５）に接しながらスライドするように通過することを特徴とする装置。
【請求項３】
請求項１または請求項２に記載の装置であって、
プレス胴（３）の表面として、盛り上がった輪郭づけがされたプレス面（２１）が設けられており、該プレス面（２０、２１）が最大でも箔コーティング対象の領域に限定されていることを特徴とする装置。
【請求項４】
請求項１から請求項３に記載の装置であって、
プレス胴（３）の表面に、切り抜かれた印刷ブランケット、または、箔コーティング対象の領域に合わせて輪郭がつけられたプレス面（１３）を適切に加工したプラスチック凸版印刷版が、箔コーティング対象の枚葉紙表面にぴったり合わせて配置されることを特徴とする装置。
【請求項５】
請求項４に記載の装置であって、
プレス胴（３）の表面またはプレス胴（３）のカバー（１０）の上に、箔コーティング対象の領域に合わせて輪郭がつけられた、接着可能な、または、その他の、望ましくは取外し可能な状態で固定できる、たとえば磁力で付けられる押圧セグメント（２２）が設けられており、セグメント化されたプレス面（２１）が形成されることを特徴とする装置。
【請求項６】
枚葉紙に画線部どおりに接着剤を塗布する少なくとも一つの塗布装置（１）と、
圧胴（４）とプレス胴（３）との間の転写間隙（６）において画線部提供層を担体フォイルから枚葉紙に転写するための一つの箔コーティングモジュール（２）であって、前記担体フォイルは、前記層を載せた側が枚葉紙に接した状態で一緒に転写間隙（６）を通過可能であり、このとき画線部提供層を画線どおりに枚葉紙に転写可能である箔コーティングモジュールと、
転写フォイル（５）を箔コーティング装置（２）に送り込み、また、この箔コーティング装置（２）から送り出すための、転写フォイルを作業方向に移動させるための駆動装置と、を備えた画線部提供層を担体フォイルから枚葉紙に転写する装置において、
転写フォイル（５）が、より幅の狭い一つまたは複数の部分フォイルウェブに分割されていること、および、該部分フォイルウェブが位置決めされてもしくは互いに横に並んで転写間隙（６）に送り込まれ、
異なる色および／あるいは異なる光沢および／あるいは異なる表面構造の層が作製可能となるように、前記部分フォイルウェブが、互いに同一のあるいは互いに異なる画線部提供層を備えていることを特徴とする装置。
【請求項７】
請求項６に記載の装置であって、
プレス胴（３）の表面として、盛り上がった輪郭づけがされたプレス面（２１）が設けられており、該プレス面（２０、２１）が最大でも箔コーティング対象の領域に限定されていることを特徴とする装置。
【請求項８】
請求項６または請求項７に記載の装置であって、
プレス胴（３）の表面に、切り抜かれた印刷ブランケット、または、箔コーティング対象の領域に合わせて輪郭がつけられたプレス面（１３）を適切に加工したプラスチック凸版印刷版が、箔コーティング対象の枚葉紙表面にぴったり合わせて配置されていること、あるいは
プレス胴（３）の表面またはプレス胴（３）のカバー（１０）の上に、箔コーティング対象の領域に合わせて輪郭がつけられた、接着可能な、または、その他の、望ましくは取外し可能な状態で固定できる、たとえば磁力で付けられる押圧セグメント（２２）が設けられており、セグメント化されたプレス面（２１）が形成されることを特徴とする装置。
【請求項９】
請求項１から請求項８に記載の装置であって、
前記プレスカバー（１０）に、プレス胴（３）にぴったり合わせて固定するための装置が含まれており、
前記プレスカバー（１０）または前記プレスカバー（１０）の担体に、一つまたは複数の見当パンチ穴が設けられていることを特徴とする装置。
【請求項１０】
請求項１から請求項９に記載の装置であって、
プレス胴（３）に、プレスカバー（１０）の位置を、該プレス胴と協働する圧胴（４）に対して相対的に位置決めする装置が備わっていることを特徴とする装置。
【請求項１１】
請求項１０に記載の装置であって、
プレス胴（３）に、プレス胴（３）の上において見当パンチ穴を使ってプレスカバー（１０）の位置を決定するための見当装置が備わっており、
前記見当装置に、プレスカバー（１０）またはプレスカバー（１０）用の担体のための固定装置が設けられていることを特徴とする装置。
【請求項１２】
請求項１１に記載の装置であって、
プレス胴（３）に、プレスカバー（１０）またはプレスカバー（１０）用の前記担体を見当に合わせて取付ける自動固定装置が設けられていること、および
プレス胴（３）に、プレスカバー（１０）またはプレスカバー（１０）用の前記担体を見当に合わせて取付ける前記自動固定装置が、見当装置もしくは見当パンチ穴と組み合わされて作用することを特徴とする装置。
【請求項１３】
枚葉紙加工機、特に枚葉紙印刷機内で、画線部提供層を担体フォイルから枚葉紙に転写するための、画線部提供層および担体フォイルから形成される転写フォイル（５）を用いて枚葉紙に箔コーティングする方法であって、
前記転写は、
−  少なくとも一つの塗布装置（１）により、枚葉紙に画線部どおりに接着剤を塗布するステップと、
− 箔コーティングモジュール（２）に転写フォイル（５）がセットされるが、担体フォイル上の転写フォイルの画線部提供層においては、画線要素（２１）は、画線側が該担体フォイルに付着した状態で配置されるステップと、
− 箔コーティングモジュール（２）により、画線部提供層もしくは画線要素（２１）が前記担体フォイルから枚葉紙に転写され、このとき、箔コーティングモジュール（２）には、圧胴（４）とプレス胴（３）とにより共通の転写間隙（６）が形成されるステップと、
− 転写フォイル（５）はこの転写間隙（６）を通過可能であるが、このとき、前記層が載せられた側が、圧胴（４）上をガイドされる枚葉紙に載せられ、圧力をかけられて枚葉紙と一緒に転写間隙（６）を通過させるステップと、
− 前記画線部提供層もしくは画線要素（２１）を、枚葉紙が転写間隙（６）から出た後には、画線部どおりに接着剤を塗布された領域を備える領域において、表面の形状どおりに枚葉紙に付着して、前記担体フォイルからはがすステップと、
− 転写間隙（６）において転写フォイル（５）は、画線部どおりに接着剤を塗布された領域のみが枚葉紙に押し付けられるステップと、
により行われることを特徴とする方法。
【請求項１４】
請求項１３に記載の方法であって、
プレス胴（３）に、一つのプレス面（２１）を持つ一つまたは複数の押圧セグメント（２２）が接触しており、前記プレス面の表面は、画線部どおりに接着剤を塗布された表面部分に対応していること、また、転写フォイル（５）が、プレス胴（３）の軸方向から見て、プレス面（２１）がつけられた軸断面領域のみにおいて転写間隙（６）に送り込まれるステップを備えていること、および／あるいは
転写フォイル（５）は、プレス胴（３）の円周方向から見て、プレス面（２１）がつけられた円周部分領域においてのみ転写間隙（６）に送り込まれるステップを備えていることを特徴とする方法。
【請求項１５】
請求項１４に記載の方法であって、
転写フォイル（５）が、プレス面（２１）がつけられている軸断面ごとに段階的に、転写間隙（６）に送り込まれるステップを備えていることを特徴とする方法。
【請求項１６】
請求項１３から請求項１５に記載の方法であって、
転写フォイル（５）により箔コーティング後に、一つまたは複数の印刷装置において、枚葉紙に１色または複数の色の印刷画像が着けられるステップを備えていることを特徴とする方法。